(57)【要約】  【課題】  傘立てもしくは傘置き場がない場所、特に電車等の車内では傘または杖を手で保持するか何らかに引っ掛けなければ倒れたり、滑り落ちたりする不便をなくすための手段を講じる。  【解決手段】  鉛直状態を保持するため傘または杖の柄に近い個所を保持部材にて円筒となる様包み込み、その保持部材の外側一部表面には粘着または接着可能な面を形成し椅子等の固定部分に粘着または接着面を貼り付けることで倒れたり、滑り落ちたりするのを防ぐことができる。  【選択図】              図１
0003141573.tif 000002
【実用新案登録請求の範囲】
【請求項１】
軽量で細長い物を包み込んで鉛直状態を保持するための保持部材表面の一部に、粘着物あるいは接着物を設けてなることを特徴とする携帯用傘立て及び、杖立て。
【請求項２】
前記保持部材は、円筒とした請求項１記載の携帯用傘立て及び、杖立て。
【請求項３】
前記保持部材は、バンドとし円筒を形成するための接続部材を装備した請求項１記載の携帯用傘立て及び、杖立て。
【請求項４】
前記保持部材は、収納袋とした請求項１記載の携帯用傘立て及び、杖立て。
【考案の詳細な説明】
【技術分野】
【０００１】
本考案は傘、杖等比較的軽量で細長い物（以下「傘等」と言う）の転倒防止具に関する。
【背景技術】
【０００２】
電車等にて座った状態で保持具の端を大脚部と座席シートで挟み保持具を固定するもの。（例えば、特許文献１参照。）
【０００３】
磁石を利用した保持具。（例えば、特許文献２参照。）
【０００４】
ストラップの片端に接続した吸盤、面ファスナーにて車両の側壁あるいは手すりなどに固定することで傘を吊るし転倒防止としたもの。（例えば、特許文献３参照。）
【特許文献１】特開平１１−２４４１２３
【特許文献２】実開平０６−０２９４７６
【特許文献３】特開２００３−０９３１２１
【考案の開示】
【考案が解決しようとする課題】
【０００５】
雨傘、日傘あるいは杖等を持参した場合、椅子、シートに座った際にそれらの転倒を防ぐための工夫をいかにしているのか、手で持つことで鉛直状態を保持したり、柄の方を座席であるとか大腿部に乗せたりしているのが実状で、後者の場合は何かに引っ掛けないと滑り落ちるため手で持つ人が多い。現代人は乗り物に乗って移動している間、読書、携帯電話を使ったメール、ゲームなどとにかく忙しい。この様な忙しい人のために傘等を手に添えなくとも鉛直状態を連続で保持でき、転倒を防ぐようにする。
【課題を解決するための手段】
【０００６】
本考案の傘立てまたは杖立ては鉛直状態を保持するため、傘または杖の中心点となる個所よりも柄に近い部分に円筒とした保持部材に傘等を貫通した上で位置付けるか、バンドとした保持部材にて円筒となる様包み込む。その保持部材の外側一部表面には粘着または接着（以下「接着」と言う）可能な接着部材を設ける。
【０００７】
この接着部材を椅子、あるいは持ち歩いているカバン等に接触し貼り付けることで傘等が鉛直状態を保ち倒れたり、滑り落ちたりすることを防止する。
【考案の効果】
【０００８】
本考案の保持部材は円筒として形成したものであっても筒の形状は常に保っておく必要はなく、使用する際に傘等を貫通可能な円筒が形成できれば良い。またバンドで構成してある場合、傘などを包み込んだ状態で筒状を維持するために取り付けられた接続部材及び接着部材共に嵩張るものでなく、しかも折り畳めるようにすることで、鞄であれ衣類のポケットでも入れることができるため携帯用として適している。
【０００９】
さらに鉛直状態を保持するため、接点となる本考案の保持部材の接着可能な対象物は、電車、自家用車等の側壁、椅子、持ち歩いているカバン、さらには自分の身体の一部など静止物体であれば、ありとあらゆるところで傘立て、杖立てとして利用可能となる。
【００１０】
長年にわたって公共交通の忘れ物と言えば傘が一番多かったが、近年ではなんと杖が忘れ物のトップとなっている。それだけ年配者が外出する機会が増えていることになる。杖を包み込んだ本考案の保持部材を身体の一部であるとか、持ち歩いている物に接着することで起立する際に接着していた物と共に傘等が移動したり倒れてしまうことで、忘れ物を減らす効果も期待できる。
【考案を実施するための最良の形態】
【００１１】
筒状態とした本考案の保持部材を傘等に取り付け、接着部材によって静止状態が継続している物体に直接接着することで傘等を鉛直状態にて保持することを可能としている為、被接着物を限定することなく傘立てあるいは杖立てとして利用できる反面、同じ接着部材では無制限で接着力を継続できるものではない。これらのことを解消する為には、交換用の接着部材の予備を備えておく必要がある。例えば接着部材を両面テープで構成した場合このテープの予備を携帯することが望ましい為、図７及び図８の如く本考案の保持部材にポケットを設けその中に予備を入れておくことで外出中に接着力が弱まった際は交換をする。
【００１２】
さらに接着状態を長く継続させる手段として、本考案の保持部材を使用しないときは剥離加工を施したもので接着部材を覆っておく。
【実施例】
【００１３】
傘あるいは杖の先端は傘等をほぼ垂直に立てることで、ある程度停止が可能である為、本来は手などで支えることで転倒を防いでいるが、本考案は手の代わりに保持部材によって横移動を防ぎ保持部材に設けられた接着部材を静止している物体に接着することで鉛直状態を保つ。
【００１４】
本考案の保持部材を傘または杖に装着する方法は円筒で構成している場合は傘等を円筒の内側に挿入し、ベルトで構成してある場合は傘等の柄に近い部分にベルトを包み込むようにしてベルトに設けてある接続部材によって筒を作る。
【００１５】
接続部材は面ファスナー、ボタン、ホックなどで構成し、円筒とした筒の内側は傘等と密着する必要はない。
【００１６】
本考案の保持部材はこのような状態とした後挿入したり、あるいは包み込んだ傘等の鉛直状態を保持するために静止物体に接着するための接着部材が装備されている。
【００１７】
また折りたたみを除く傘袋に接着部材を取り付けることで本考案の保持部材とすることも可能である。  
【００１８】
図１０は接着力が弱まった接着部材の取り替えを容易としさらに交換用接着部材の常時携帯及び紛失を防止するために、本考案の保持部材に切り口を設け、連続した接着部材の引き出しを可能としている。接着部材は図１２の如く接着用として使用する際の長さに対し整数倍の長さを有し、両面テープには両面共に剥離紙で覆い接着部材として使用する単位で切断している。その両面テープを保持部材の切り口に貫通し予備となる接着部材は保持部材の内側となるようにする。
【００１９】
接着部材の交換は接着力の弱まった部分を本考案の保持部材から剥がし、取り除いた上で次の接着部材となる両面テープを切り口より引っ張り出し、先端部分の内側となる剥離紙を剥がしたうえで保持部材表面に接着する。対面の剥離紙は傘を傘立てとして使用する際に剥離紙を剥がしたうえで静止物体に接着する。さらに保持部材の裏面は傘に接するために両面テープが濡れるのを防ぐためのポケットを備える。
【００２０】
図１は電車等の座席に座った人の右側シートの突起部分に本考案の保持部材を接着し傘の鉛直状態を保った実施の使用状態を示す側面図である。この様に保持部材を接着する対象物は硬い物でなくとも接着し、大きくぶれないものであれば鉛直状態を保つことが出来る。
【００２１】
図１で粘着または接着物を設けている周りは接着する対象物に濡れた傘が直接当たらないように保持部材の幅を適宜な長さとしている。
【００２２】
本考案の保持部材を接着する対象物はその場所に固定したものだけに限らず、使用者が持ち歩いている鞄あるいは紙袋であるとか使用者の足に接着する事も可能でありさらに、立っている状態で人の腰の部分などに接着することも可能で傘立てとして利用できる範囲はとてつもなく多い。
【００２３】
本考案の保持部材は雨傘として使用する場合は被接着物体を水分から保護するために水分を透さないゴム、ビニール等の樹脂で構成し、日傘であるとか杖の場合はこれらに拘る必要はない。
【００２４】
本考案の保持部材は円筒を形成したものであっても使用しないときは筒の形状を保っておく必要はなく折りたたんで携帯しやすい状態としておき、傘立てとして使用する際に筒の内側に挿入できれば良い。
【００２５】
図１３は本考案保持部材表面に複数の接着部材を装備し、未使用の接着部材は剥離帯によって覆うことで接着力を弱めることがないようにしておき、必要となった時に剥離帯を剥がし順次取り替えを可能としている。
【産業上の利用可能性】
【００２６】
現代人は忙しい。乗り物に乗っても少しでも時間があれば読書、ゲーム、メールなどに没頭し傘等を持参していることも忘れ、倒したり、滑り落としたりしてしまう。没頭して自分の時間を有意義に使おうとする行為を援助するものとしても必需品となる可能性を秘めている。
【００２７】
現在も煩わしいと思いつつ、傘等が倒れないよう何らかの工夫をしており、本考案の携帯可能な傘立てまたは杖立ては何らかの乗り物によって移動する人にとっては年齢、男女を問わず必需品となる可能性が高い。何故ならば傘等を倒れないようにする為の煩わしい行為をしなくともよくなるからである。
【００２８】
また構造上製造原価は安価にて出来ると思われ、誰でも使えるがゆえに粗品などにも適している。
【図面の簡単な説明】
【００２９】
【図１】実施の使用状態を示す側面図である。
【図２】傘に本考案の保持部材を取りつけた全体図である。
【図３】本考案の保持部材の接続部材を面ファスナーとした正面図である。
【図４】本考案の保持部材の接続部材を面ファスナーとした背面図である。
【図５】本考案の保持部材の接続部材をボタンとした正面図である。
【図６】本考案の保持部材の接続部材をボタンとした背面図である。
【図７】本考案の保持部材に接着用の予備を入れるためのポケットを設け、剥離加工した部材をとりつけた正面図である。
【図８】本考案の保持部材に接着用の予備を入れるためのポケットを設け、剥離加工した部材をとりつけた側面図である。
【図９】本来傘に取り付けてある襞を止めるためのベルトのかわりに本考案の保持部材を取りつけた全体図である。
【図１０】接着部材の予備を連続した形で設けている保持部材の正面図である。
【図１１】接着部材の予備を連続した形で設けてある保持部材の側面図である。
【図１２】接着部材の予備が連続した形で形成している接着部材の側面図である。
【図１３】接着部材の予備が連続した形で形成している接着部材の正面図である。
【図１４】本考案の保持部材に接着部材を複数取り付け、未使用の接着部材は剥離部材を装着している正面図である。
【符号の説明】
【００３０】
１  本考案の保持部材
２  接続部材
３  粘着または接着部材
４  接着部材を収納するためのポケット
５  傘
６  傘の襞を止めるベルト
７  剥離加工をした部材
８  接着部材を表面から裏面に貫通するための切り口
【図１】
0003141573.tif 000003
【図２】
0003141573.tif 000004
【図３】
0003141573.tif 000005
【図４】
0003141573.tif 000006
【図５】
0003141573.tif 000007
【図６】
0003141573.tif 000008
【図７】
0003141573.tif 000009
【図８】
0003141573.tif 000010
【図９】
0003141573.tif 000011
【図１０】
0003141573.tif 000012
【図１１】
0003141573.tif 000013
【図１２】
0003141573.tif 000014
【図１３】
0003141573.tif 000015
【図１４】
0003141573.tif 000016